(57)【要約】【課題】基地局とＧＳＭ端末機間のメッセージ送受信方法において、二つのＳＭＳメッセージから構成されたＭＭＳ通知メッセージを遅延することなく使用者に伝達し得る移動通信システムにおける無線メッセージ受信方法を提供する。【解決手段】互いに異なる無線リソース連結を通じてＳＭＳ（短文メッセージサービス）メッセージを受信する端末機であって、無線システムからＳＭＳメッセージを受信する段階と、受信されたＳＭＳメッセージが一般のＳＭＳメッセージであるか、又はＭＭＳ（多重媒体メッセージサービス）に関するＳＭＳメッセージであるかを判断する段階と、ＭＭＳに関するＳＭＳメッセージであった場合、フラグ設定を行って二番目のＳＭＳメッセージを受信する段階と、二番目のＳＭＳメッセージが受信された場合、ＲＡＵ（Ｒｏｕｔｉｎｇ  Ａｒｅａ  Ｕｐｄａｔｅ）を行う段階とを有する。【選択図】図１
2004320777.tif 000002
【特許請求の範囲】
【請求項１】
互いに異なる無線リソース（Ｒａｄｉｏ  Ｒｅｓｏｕｒｃｅ）連結を通じてＳＭＳ（Ｓｈｏｒｔ  Ｍｅｓｓａｇｅ  Ｓｅｒｖｉｃｅｓ：短文メッセージサービス）メッセージを受信する端末機において、
無線システムからＳＭＳメッセージを受信する段階と、
前記受信されたＳＭＳメッセージが、一般のＳＭＳメッセージであるか、又はＭＭＳ（Ｍｕｌｔｉｍｅｄｉａ  Ｍｅｓｓａｇｅ  Ｓｅｒｖｉｃｅ：多重媒体メッセージサービス）に関するＳＭＳメッセージであるかを判断する段階と、
前記判断する段階での判断結果にて、ＭＭＳに関するＳＭＳメッセージであった場合、フラグ設定（ｆｌａｇ  ｓｅｔｔｉｎｇ）を行い、二番目のＳＭＳメッセージを受信する段階と、
前記二番目のＳＭＳメッセージが受信された場合、ＲＡＵ（Ｒｏｕｔｉｎｇ  Ａｒｅａ  Ｕｐｄａｔｅ）を行う段階とを有することを特徴とする移動通信システムにおける無線メッセージ受信方法。
【請求項２】
前記無線システムは、ＧＳＭ（Ｇｌｏｂａｌ  Ｓｅｒｖｉｃｅ  ｆｏｒ  Ｍｏｂｉｌｅ  Ｔｅｌｅｃｏｍｍｕｎｉｃａｔｉｏｎ）又はＧＰＲＳ（Ｇｅｎｅｒａｌ  Ｐａｃｋｅｔ  Ｒａｄｉｏ  Ｓｅｒｖｉｃｅ）基盤のシステムであることを特徴とする請求項１記載の移動通信システムにおける無線メッセージ受信方法。
【請求項３】
前記ＭＭＳに関するＳＭＳメッセージは、ＭＭＳ通知メッセージを構成するＳＭＳメッセージであることを特徴とする請求項１記載の移動通信システムにおける無線メッセージ受信方法。
【請求項４】
前記ＳＭＳメッセージが一般のＳＭＳメッセージであった場合、直ちに端末機に保存して使用者に知らせる段階を更に含むことを特徴とする請求項１記載の移動通信システムにおける無線メッセージ受信方法。
【請求項５】
前記ＳＭＳメッセージに対する判断は、ＳＭＳメッセージを構成するヘッダー部分に含まれたデータによって、一般のＳＭＳメッセージであるか、又はＭＭＳに関するＳＭＳメッセージであるかを区分することを特徴とする請求項１記載の移動通信システムにおける無線メッセージ受信方法。
【請求項６】
前記フラグ設定は、論理型（Ｂｏｏｌｅａｎ  ｔｙｐｅ）関数により、ＳＭＳの実体（ｅｎｔｉｔｙ）の中に設定されることを特徴とする請求項１記載の移動通信システムにおける無線メッセージ受信方法。
【請求項７】
前記二番目のＳＭＳメッセージが受信された場合、前記フラグ設定を解除する段階を更に含むことを特徴とする請求項１記載の移動通信システムにおける無線メッセージ受信方法。
【請求項８】
ＲＡＵを行った後、受信された二つのＳＭＳメッセージを復号化して一つのＭＭＳ通知メッセージを生成し、端末機に保存する段階を更に含むことを特徴とする請求項１記載の移動通信システムにおける無線メッセージ受信方法。
【請求項９】
無線システムからＭＭＳ通知メッセージを構成する二つのＳＭＳメッセージを受信する端末機において、
ＭＭＳ通知メッセージを構成する一番目のＳＭＳメッセージが受信された場合、無線リソース連結を解除する段階と、
前記無線リソース連結が解除された場合、フラグ設定を行う段階と、
前記無線リソース連結を再設定してＭＭＳ通知メッセージを構成する二番目のＳＭＳメッセージを受信する段階と、
フラグ設定を解除してＲＡＵを行う段階と、
受信された二つのＳＭＳメッセージを復号化する段階とを有することを特徴とする移動通信システムにおける無線メッセージ受信方法。
【請求項１０】
前記無線システムは、ＧＳＭ又はＧＰＲＳ基盤のシステムであることを特徴とする請求項９記載の移動通信システムにおける無線メッセージ受信方法。
【請求項１１】
前記フラグ設定は、論理型関数により、ＳＭＳの実体（ｅｎｔｉｔｙ）の中に設定されることを特徴とする請求項９記載の移動通信システムにおける無線メッセージ受信方法。
【発明の詳細な説明】
【技術分野】
【０００１】
本発明は、移動通信システムにおける無線メッセージ受信方法に関するもので、詳しくは、ＧＳＭ（Ｇｌｏｂａｌ  Ｓｅｒｖｉｃｅ  ｆｏｒ  Ｍｏｂｉｌｅ  Ｔｅｌｅｃｏｍｍｕｎｉｃａｔｉｏｎ）／ＧＰＲＳ（Ｇｅｎｅｒａｌ  Ｐａｃｋｅｔ  Ｒａｄｉｏ  Ｓｅｒｖｉｃｅ）ネットワークにおける多重媒体メッセージサービス（Ｍｕｌｔｉｍｅｄｉａ  Ｍｅｓｓａｇｅ  Ｓｅｒｖｉｃｅ：ＭＭＳと略称する）のメッセージ受信方法に関するものである。
【背景技術】
【０００２】
短文メッセージサービス（Ｓｈｏｒｔ  Ｍｅｓｓａｇｅ  Ｓｅｒｖｉｃｅｓ：ＳＭＳと略称する）は、移動通信網がデジタル方式に発展するに伴い、移動通信網の内部並びに基地局と端末機間にもデジタルデータが伝達されることで、自然に発生したサービスである。このようなＳＭＳは、基本的に双方向無線呼出サービスと殆ど同様な機能を有し、移動電話システムの音声私書箱の通知、簡単なメッセージの送受信、一方的な単方向通信概念を利用した生活情報サービス、及び連続的なメッセージの送受信を利用した注文型情報サービスにそれぞれ区分することができる。
しかし、そのＳＭＳにおけるメッセージ受信（Ｍｏｂｉｌｅ  Ｔｅｒｍｉｎａｔｅｄ  ＳＭＳ：ＭＴ  ＳＭＳ）は、最も基本的なサービスに属し、点対点（Ｐｏｉｎｔ−ｔｏ−Ｐｏｉｎｔ）伝送により加入者の端末機に正確に伝送されなければ、メッセージセンター（Ｍｅｓｓａｇｅ  Ｃｅｎｔｅｒ：ＭＣ）では特定のメッセージに対する伝送動作を終了することができない。
【０００３】
一方、メッセージには、単純に文字及び数字などからなるＳＭＳメッセージと、写真、音楽、及び動画映像などからなるＭＭＳメッセージとがある。ＭＭＳは、多重媒体メッセージを送受信する標準で、多重媒体メッセージには、定型化されたテキスト、画像、写真、オーディオ、及びビデオクリップの任意の組合せが含まれる。また、ＭＭＳメッセージは、端末機に装着されたカメラ及び液晶、並びに端末機内部のサウンドカードのような関連技術の発展に伴い、大衆化されて広用される趨勢にあり、今後もより多くの消費者により使用される展望である。
【０００４】
図３は、従来のＧＳＭ／ＧＰＲＳネットワークでＭＭＳメッセージを送受信するシステムを示した構成図で、図に示すように、ＧＳＭ／ＧＰＲＳネットワークでＭＭＳメッセージを送受信するシステムは、ＭＭＳメッセージを送受信する携帯端末機１００、１１０と、ＭＭＳメッセージを保存するＭＭＣ（ＭＭＳ  Ｍｅｓｓａｇｅ  Ｃｅｎｔｅｒ）１２０と、ＳＭＳメッセージを保存するＳＭＣ（ＳＭＳ  Ｍｅｓｓａｇｅ  Ｃｅｎｔｅｒ）１３０と、ＭＭＣ１２０又はＳＭＣ１３０に送信側の携帯端末機１００から受信した所定メッセージを保存するか、或いはＭＭＣ１２０又はＳＭＣ１３０に保存された所定メッセージを受信側の携帯端末機１１０に送信する基地局１４０とから構成される。
【０００５】
このように構成された従来のＧＳＭ／ＧＰＲＳネットワークでＭＭＳメッセージを送受信するシステムにおいては、まず、送信側の携帯端末機１００でＭＭＳメッセージを作成して送信すると、基地局１４０は、ＭＭＳメッセージを受信してＭＭＣ１２０に保存する。このとき、ＭＭＳメッセージは、パケット経路を通じてＭＭＣ１２０に保存される。
その後、ＭＭＣ１２０は、保存されたＭＭＳメッセージを二つのＳＭＳメッセージから構成された通知メッセージ（ｎｏｔｉｆｉｃａｔｉｏｎ  ｍｅｓｓａｇｅ）に生成し、生成された通知メッセージをＳＭＣ１３０に伝送する。次いで、ＳＭＣ１３０は、ＭＭＣ１２０からの通知メッセージを受信して保存し、基地局１４０は、保存された通知メッセージを受信側の携帯端末機１１０に伝送する。
【０００６】
このとき、受信側の携帯端末機１１０は、通知メッセージを構成する二つのＳＭＳメッセージを全て受信しなければ、正常にＭＭＳメッセージの受信を使用者に知らせることができない。このように通知メッセージを受信側の携帯端末機１１０に伝送する方法には次のように二つがある。
即ち、一つは、基地局で、端末機との無線リソース（Ｒａｄｉｏ  Ｒｅｓｏｕｒｃｅ）連結を維持した状態で、通知メッセージを構成する二つのＳＭＳメッセージを連続して受信側の端末機に伝送する方法で、
他の一つは、基地局で、端末機との無線リソース連結が設定された状態で通知メッセージの一番目のＳＭＳメッセージを伝送した後に、無線リソース連結を解除し、再び端末機との無線リソース連結を設定した後、通知メッセージの二番目のＳＭＳメッセージを伝送する方法である。
なお、ＭＭＳに関する情報をＳＭＳメッセージによって通知することについては特許文献１の「遠隔通信網におけるメッセージの伝送のための方法」に開示されている。
【０００７】
【特許文献１】国際公開第０１／０５８１８３号パンフレット
【発明の開示】
【発明が解決しようとする課題】
【０００８】
しかしながら、このような従来の、ＭＭＳメッセージに対するＳＭＳメッセージを伝送する度毎に無線リソース連結の設定及び解除を連続的に行う方法においては、端末機でＭＭＳメッセージに対する一番目のＳＭＳメッセージを受信した後、無線リソース連結が解除されると、ＲＡＵ（Ｒｏｕｔｉｎｇ  Ａｒｅａ  Ｕｐｄａｔｅ）を行うため、その後に無線リソース連結を再設定し、基地局で二番目のＳＭＳメッセージを伝送しても、端末機では二番目のＳＭＳメッセージを直ちに受信することができず、二番目のＳＭＳメッセージを受信するのに５〜１０分程度の時間遅延が発生するため、使用者に不便を与えるという問題があった。その理由は、端末機がＲＡＵを行うとＰＤＴＣＨ（Ｐａｃｋｅｔ  Ｄａｔａ  Ｔｒａｆｆｉｃ  Ｃｈａｎｎｅｌ）を使用するようになり、この場合、端末機はページング（ｐａｇｉｎｇ）チャネルのＣＣＣＨ（Ｃｏｍｍｏｎ  Ｃｏｎｔｒｏｌ  Ｃｈａｎｎｅｌ）をモニタリングしないためである。
また、時間遅延により、ネットワーク及び通信サービス提供会社の信頼度が低下するという問題があった。
また、遅延時間の間、多くは２０回程度繰り返してメッセージを重複伝送するため、それによる基地局の無線リソースの不必要な浪費をもたらすという問題があった。
【０００９】
本発明は、このような従来の問題に鑑みてなされたもので、ＳＭＳメッセージを伝送するとき無線リソース連結を設定及び解除する基地局とＧＳＭ端末機間のメッセージ送受信のため、二つのＳＭＳメッセージから構成されたＭＭＳ通知メッセージを、遅延なく迅速に使用者に伝達し得る移動通信システムにおける無線メッセージ受信方法を提供することを目的とする。
また、本発明の他の目的は、フラグ設定（ｆｌａｇ  ｓｅｔｔｉｎｇ）に基づいてメッセージの受信を遅延なく迅速に行い得る移動通信システムにおける無線メッセージ受信方法を提供することにある。
【課題を解決するための手段】
【００１０】
このような目的を達成するため、本発明に係る移動通信システムにおける無線メッセージ受信方法においては、端末機で基地局からメッセージを受信する段階と、前記受信されたメッセージの種類を判別し、その種類に適合するように処理する段階と、メッセージを保存して使用者にメッセージの受信を知らせる段階とを有することを特徴とする。
また、前記メッセージは、一般のＳＭＳメッセージ又はＭＭＳに関するＳＭＳメッセージであることを特徴とする。
また、前記受信されたメッセージの種類の判別は、受信されたＳＭＳメッセージがＭＭＳ通知メッセージを構成するＳＭＳメッセージであるか、一般のＳＭＳメッセージであるかを区分することであることを特徴とする。且つ、この区分は、メッセージのヘッダー（ｈｅａｄｅｒ）に含まれたデータを通じて行われることを特徴とする。
また、前記メッセージの種類による処理は、ＭＭＳ通知メッセージを構成するＳＭＳメッセージの場合、ＳＭＳの実体（ｅｎｔｉｔｙ）の中にフラグ設定を行った後二番目のメッセージを受信する段階と、前記ＭＭＳ通知メッセージの一番目のＳＭＳメッセージ及び二番目のＳＭＳメッセージを一つのメッセージとして復号化する段階と、無線リソース連結が解除されると、フラグ設定を解除してＲＡＵ（Ｒｏｕｔｉｎｇ  Ａｒｅａ  Ｕｐｄａｔｅ）を行う段階とを有することを特徴とする。
また、前記メッセージの種類による処理は、一般のＳＭＳメッセージの場合、端末機が直ちにメッセージを保存して使用者に知らせる段階を更に含むことを特徴とする。
【発明の効果】
【００１１】
本発明に係る移動通信システムにおける無線メッセージ受信方法は、二つのＳＭＳメッセージから構成されたＭＭＳ通知メッセージの受信を、遅延なしに使用者に伝達するため、極めて便利であるという効果がある。
また、メッセージの受信遅延時間をなくすことで、使用者にサービスの信頼性を向上させるという効果がある。
また、メッセージの受信遅延時間の間続けられるメッセージの再伝送による無線リソースの浪費を防止して資源を節減し得るという効果がある。
【発明を実施するための最良の形態】
【００１２】
本発明は、ネットワークから伝送されたメッセージを端末機で受信するとき、メッセージが二つ以上の場合、各メッセージ当たりの無線リソース連結の設定及び解除を連続的に行い数回にわたってメッセージを伝送する場合のメッセージ受信時間の遅延を防止しようとするものである。
以下、本発明の実施の形態について、図面を参照して説明する。
図１は、本発明に係るＭＭＳメッセージ受信方法を示したフローチャートであり、図に示すように、本発明に係るＭＭＳメッセージ受信方法においては、まず、ネットワークから伝送されたＳＭＳメッセージが端末機で受信されると（ステップＳ１００）、ＳＭＳメッセージがＭＭＳ通知メッセージに関するものであるか否かを判断する（ステップＳ１０１）。  次いで、その判断結果、ＭＭＳ通知メッセージでなく一般のＳＭＳメッセージであった場合、メッセージを保存し（ステップＳ１０２）、使用者にメッセージの受信を知らせる。
【００１３】
反面、ＳＭＳメッセージがＭＭＳ通知メッセージの一番目のＳＭＳメッセージであった場合、無線リソース連結を解除し（ステップＳ１０３）、無線リソース連結の解除後にフラグ設定を行い（ステップＳ１０４）、無線リソース連結を再設定する（ステップＳ１０５）。
その後、ＭＭＳ通知メッセージの二番目のＳＭＳメッセージが受信されたか否かを判断し（ステップＳ１０６）、その判断結果、二番目のＳＭＳメッセージが受信されていないと無線リソース連結を解除せずに待機し（ステップＳ１０７）、ＭＭＳ通知メッセージの二番目のＳＭＳメッセージが受信されるとフラグ設定を解除する（ステップＳ１０８）。その後、無線リソース連結を解除し（ステップＳ１０９）、ＲＡＵを行う（ステップＳ１１０）。
次いで、ＭＭＳ通知メッセージの一番目のＳＭＳメッセージ及び二番目のＳＭＳメッセージを復号化して一つのメッセージを生成し（ステップＳ１１１）、一つになったＭＭＳ通知メッセージを保存する（ステップＳ１１２）。
【００１４】
以下、このような本発明に係るＭＭＳメッセージ受信方法を、より詳しく説明する。
前述したように、ＧＳＭ／ＧＰＲＳネットワークで、パケットデータ及び多重媒体メッセージの送受信が可能な端末機にＭＭＳメッセージを伝送するとき、ＭＭＳメッセージは、パケット経路を通じてＭＭＳサーバーに伝達され、伝達されたＭＭＳメッセージは、ＭＭＳサーバーから相手方に直接伝送されることなく、まず、ＭＭＣが通知メッセージを作成してＳＭＣに伝達し、ＳＭＣに伝達された通知メッセージが相手方の端末機に伝送される。このとき、ＭＭＣにより生成された通知メッセージは、二つのＳＭＳメッセージから構成され、受信側の端末機は、二つのＳＭＳメッセージを全て受信しなければ、正常にＭＭＳ通知を使用者に通報することができない。
【００１５】
ネットワークで二つのＳＭＳメッセージの伝送を試みるとき、一つのメッセージを伝送する度毎に無線リソース連結を設定及び解除する場合、本発明に係る受信方法は、最初にＳＭＳメッセージが受信されると、ＳＭＳメッセージがＭＭＣからのＭＭＳ通知メッセージの一番目のＳＭＳメッセージであるか、或いは一般のＳＭＳメッセージであるかを判断し、その判断の結果、一般のＳＭＳメッセージであった場合、端末機は直ちにメッセージを保存すると共に使用者にメッセージの受信を知らせる、例えば、メッセージ受信音、ＬＥＤや液晶アイコン等によるメッセージ受信表示、バイブレータなどを利用した通報を行う。
メッセージがＭＭＳに関するＳＭＳメッセージであるか否かを判断する方法は、図２に示すような（図２はＭＭＳメッセージを示しているがＳＭＳメッセージもヘッダー部とメッセージ本体とから構成される）メッセージのヘッダー部分のデータを通じて区分する。ヘッダーは、ＭＭＳメッセージの受信者及び送信者のルーチング（ｒｏｕｔｉｎｇ）情報及びアドレスを提供する。
【００１６】
反面、判断の結果、ＭＭＳ通知メッセージの一番目のＳＭＳメッセージであると、ＳＭＳの実体（ｅｎｔｉｔｙ：実際に参照されるデータ）の中にフラグ設定を行う。従って、ＲＡＵの遂行を抑制するための論理型（Ｂｏｏｌｅａｎ  ｔｙｐｅ）変数のフラグ設定を行うことで、ＲＡＵの遂行過程の間、従来のように端末機がページングチャンネルのモニタリングを行うことができないために発生するメッセージ受信時間の遅延が防止される。よって、端末機は、時間遅延なしにＭＭＳ通知メッセージの二番目のＳＭＳメッセージを受信するようになる。次いで、受信された二つのＳＭＳメッセージを復号化して一つのＭＭＳ通知メッセージを生成し、端末機は、ＭＭＳ通知メッセージを保存して、端末機使用者にＭＭＳメッセージが到着したことを知らせる。その後、フラグ設定を解除して、無線リソース連結が解除された後、ＲＡＵが正常に行われるようにする。
尚、本発明は、上述の実施形態に限られるものではない、本発明の技術的範囲から逸脱しない範囲内で多様に変更実施することが可能である。
【図面の簡単な説明】
【００１７】
【図１】本発明に係るＭＭＳメッセージ受信方法を示したフローチャートである。
【図２】本発明に係るＭＭＳメッセージの一般の構造を示したブロック図である。
【図３】従来のＧＳＭ／ＧＰＲＳシステムを示した構成図である。
【符号の説明】
【００１８】
１００、１１０    携帯端末機
１２０    ＭＭＣ（ＭＭＳ  Ｍｅｓｓａｇｅ  Ｃｅｎｔｅｒ）
１３０    ＳＭＣ（ＳＭＳ  Ｍｅｓｓａｇｅ  Ｃｅｎｔｅｒ）
１４０    基地局
【図１】
2004320777.tif 000003
【図２】
2004320777.tif 000004
【図３】
2004320777.tif 000005